(57)【特許請求の範囲】
【請求項１】
遊技機の筺体に対して取り付けられる取付ベースと、
取付ベースに対して移動可能な状態で取付ベースの前面側に支持された移動ベースと、
移動ベースの前面側に取り付けられた、演出画像を表示するための表示装置と、
表示装置に電力又は制御信号を伝達する表示装置用配線と、
を備え、
移動ベースの移動に伴って表示装置が移動するようにした遊技機用可動表示ユニットであって、
移動ベースに取り付けられた移動ベース側発光装置と、
移動ベース側発光装置に電力又は制御信号を伝達する移動ベース側発光装置用配線と、
移動ベースの後面側に設けられた内側ケーシングと、
内側ケーシングの外周部を囲った状態に設けられた外側ケーシングと、
をさらに備え、
移動ベースから後方へ引き出される表示装置用配線及び移動ベース側発光装置用配線のうち、いずれか一方の配線が内側ケーシングの内側を通って後方へ引き出され、他方の配線が内側ケーシングの外面と外側ケーシングの内面との隙間を通って後方へ引き出された
ことを特徴とする遊技機用可動表示ユニット。
【請求項２】
表示装置用配線が、フレキシブルプリント基板とされた請求項１記載の遊技機用可動表示ユニット。
【請求項３】
表示装置用配線が、内側ケーシングの内側を通って後方へ引き出され、
移動ベース側発光装置用配線が、内側ケーシングの外面と外側ケーシングの内面との隙間を通って後方へ引き出された
請求項１又は２記載の遊技機用可動表示ユニット。
【請求項４】
内側ケーシングが、表示装置の後面に一体化した状態で設けられ、
外側ケーシングが、移動ベースに一体化した状態で設けられた
請求項３記載の遊技機用可動表示ユニット。
【請求項５】
表示装置用配線における内側ケーシングの内側に収容された部分に、前後方向に略垂直な面上で略円弧状に湾曲された湾曲部が設けられ、
前記湾曲部における表示装置に近い側の端部が移動ベース側に保持され、
前記湾曲部における表示装置から遠い側の端部が取付ベース側に保持され、
取付ベースに対して移動ベースが移動する際に前記湾曲部の撓み具合が変化するようにされた請求項１〜４いずれか１つに記載の遊技機用可動表示ユニット。
【請求項６】
移動ベースが、取付ベースに対して回動可能な状態で支持された請求項１〜５いずれか１つに記載の遊技機用可動表示ユニット。
【請求項７】
外側ケーシングの外周面に外接するための複数のローラが、取付ベースに設けられ、
当該複数のローラが、移動ベースを回動させる際の軸受として機能する
請求項６記載の遊技機用可動表示ユニット。
【請求項８】
取付ベースに係合部が設けられ、
移動ベースが所定の基準位置となったときに前記係合部が係合する被係合部が、外側ケーシングの外周面に形成された
請求項１〜７いずれか１つに記載の遊技機用可動表示ユニット。
【請求項９】
取付ベースの前面における、移動ベースが所定の基準位置にあるときには移動ベースで覆われ、且つ、移動ベースが当該基準位置から所定変位量を超えて移動したときに移動ベースで覆われなくなる箇所に、当該箇所を発光させる取付ベース側発光装置が設けられた請求項１〜８いずれか１つに記載の遊技機用可動表示ユニット。
【請求項１０】
移動ベースを駆動するための移動ベース駆動手段と、
表示装置用配線に接続されて表示装置に電力又は制御信号を出力するための表示装置用電子基板と、
移動ベース側発光装置用配線に接続されて移動ベース側発光装置に電力又は制御信号を出力するための移動ベース側発光装置用電子基板と、
をさらに備え、
取付ベース、移動ベース、表示装置、表示装置用配線、移動ベース側発光装置、移動ベース側発光装置用配線、内側ケーシング、外側ケーシング、移動ベース駆動手段、表示装置用電子基板及び移動ベース側発光装置用電子基板が組み合わされてユニット化された
請求項１〜９いずれか１つに記載の遊技機用可動表示ユニット。
【請求項１１】
請求項１〜１０いずれか１つに記載の遊技機用可動表示ユニットを備えた遊技機。
【発明の詳細な説明】
【技術分野】
【０００１】
本発明は、遊技機筺体に対して移動可能な表示装置を有する遊技機用可動表示ユニットと、この遊技機用可動表示ユニットを備えた遊技機とに関する。
【背景技術】
【０００２】
回胴式遊技機やパチンコ遊技機等の遊技機では、液晶ディスプレイ等の表示装置を備えた機種が主流となっている。従来の遊技機において、表示装置は、遊技機筺体の前扉に対して動かない状態で固定されることが一般的であったが、近年では、表示装置を前扉に対して移動可能な状態で取り付け、遊技状態等に応じて表示装置の姿勢や位置を変化させるようにした機種（以下においては、「表示装置可動型の遊技機」と呼ぶことがある。）も登場している（例えば、特許文献１の図４１〜４３を参照。）。表示装置可動型の遊技機では、より大きなインパクトを遊技者に与えて演出効果を高めることが可能となっている。
【０００３】
ところが、表示装置可動型の遊技機では、遊技機筺体に対して移動する表示装置と、遊技機筺体に対して移動しない機器（例えば、表示装置に制御信号を出力するための制御用電子基板）とを、電気配線で接続する必要があるところ、当該電気配線に、表示装置の移動に起因する撓み具合の変化や捩じれ具合の変化が生じる構造となっていた。このため、表示装置可動型の遊技機では、表示装置が移動する際に、前記電気配線がその周囲の部材に絡んだり、大きく折れ曲がって破断したりする虞があった。
【０００４】
このような実状に鑑みてか、これまでには、表示装置に接続される電気配線に、相対的に回動可能な一対のコネクタ（以下、「回動型のコネクタ」と呼ぶことがある。）を介在させた遊技機も提案されている（例えば、特許文献２の図３における固定側コネクタ６２及び回転側コネクタ６３を参照。）。これにより、表示装置を回動させる際における前記電気配線の形態の変化を小さく抑えることが可能になる。
【０００５】
ところが、表示装置に接続される電気配線に回動型のコネクタを介在させた遊技機にあっては、回動型のコネクタを設ける分、コストが増大するという欠点があった。特に、前記電気配線の本数が多い場合には、回動型のコネクタの構造が複雑になるため、コストが大幅に増大する虞がある。また、回動型のコネクタにおける一方のコネクタと他方のコネクタとは、それぞれに設けられた電気接点を機械的に接触させる構造となっていた。このため、遊技機に生じた振動等によって、上記の電気接点が非接触の状態となり、前記電気配線が切断した状態となる虞もあった。
【０００６】
このように、従来の表示装置可動型の遊技機は、表示装置に接続する電気配線に起因する種々の問題を抱えている。このため、従来の表示装置可動型の遊技機は、表示装置に接続する電気配線の本数を増やしにくいだけでなく、表示装置とともに移動する部材（移動ベース）に他の電子部品（表示装置以外の電子部品）を取り付けるといったことも容易ではなかった。表示装置以外の他の電子部品を移動ベースに取り付けると、当該他の電子部品用の電気配線が必要となり、表示装置用の電気配線と前記他の電子部品用の電気配線とが絡むリスクが高まるからである。
【先行技術文献】
【特許文献】
【０００７】
【特許文献１】特開平０９−０１９５５２号公報
【特許文献２】特開２００５−３２９０８５号公報
【発明の概要】
【発明が解決しようとする課題】
【０００８】
本発明は、上記課題を解決するために為されたものであり、表示装置可動型の遊技機において、表示装置とともに移動する部材に、表示装置以外の他の電子部品を設けても、表示装置用の電気配線と、前記他の電子部品用の電気配線とが絡まないようにすることのできる遊技機用可動表示ユニットを提供するものである。また、当該遊技機用可動表示ユニットを備えた遊技機を提供することも本発明の目的である。
【課題を解決するための手段】
【０００９】
上記課題は、
遊技機の筺体に対して取り付けられる取付ベースと、
取付ベースに対して移動可能な状態で取付ベースの前面側に支持された移動ベースと、
移動ベースの前面側に取り付けられた、演出画像を表示するための表示装置と、
表示装置に電力又は制御信号を伝達する表示装置用配線と、
を備え、
移動ベースの移動に伴って表示装置が移動するようにした遊技機用可動表示ユニットであって、
移動ベースに取り付けられた移動ベース側発光装置と、
移動ベース側発光装置に電力又は制御信号を伝達する移動ベース側発光装置用配線と、
移動ベースの後面側に設けられた内側ケーシングと、
内側ケーシングの外周部を囲った状態に設けられた外側ケーシングと、
をさらに備え、
移動ベースから後方へ引き出される表示装置用配線及び移動ベース側発光装置用配線のうち、いずれか一方の配線が内側ケーシングの内側を通って後方へ引き出され、他方の配線が内側ケーシングの外面と外側ケーシングの内面との隙間を通って後方へ引き出された
ことを特徴とする遊技機用可動表示ユニット
を提供することによって解決される。
【００１０】
かかる構成によって、移動ベースに発光装置（移動ベース側発光装置）を設けるだけでなく、表示装置用配線が通る空間や、移動ベース側発光装置用配線が通る空間を、他の空間から仕切ることが可能になる。このため、表示装置用配線と移動ベース側発光装置用配線とが絡まないようにすることが可能になる。また、表示装置用配線や移動ベース側発光装置用配線が、その周囲の他の部材等に干渉しないようにすることも可能になる。したがって、表示装置用配線や移動ベース側発光装置用配線の折れ曲がりや捩じれに起因する断線を防止することも可能になる。
【００１１】
本発明の遊技機用可動表示ユニットにおいては、表示装置用配線を、フレキシブルプリント基板（ＦＰＣ）とすると好ましい。表示装置用配線は、通常、多数本の信号線を有するところ、フレキシブルプリント基板を用いると、柔軟性を有する帯状基板に、多数本の信号線をコンパクトに集約できるからである。また、フレキシブルプリント基板は、捩じれや折れ曲がりに対する許容度が必ずしも高くないため、表示装置用配線をフレキシブルプリント基板とすると、本発明の構成を採用する意義が高まるからである。
【００１２】
本発明の遊技機用可動表示ユニットにおいては、表示装置用配線が、内側ケーシングの内側を通って後方へ引き出され、移動ベース側発光装置用配線が、内側ケーシングの外面と外側ケーシングの内面との隙間を通って後方へ引き出されるようにすると好ましい。上述したように、表示装置用配線は、通常、多数本の信号線を有することに加えて、フレキシブルプリント基板とされる場合があるため、表示装置用配線には、折れ曲がりや絡みに起因する問題が生じやすいところ、移動ベースにおける変位が小さい箇所に表示装置用配線を配することによって、表示装置用配線に上記の問題が生じにくくすることが可能になる。
【００１３】
本発明の遊技機用可動表示ユニットにおいて、表示装置用配線が、内側ケーシングの内側を通って後方へ引き出されるようにする場合には、内側ケーシングを、表示装置の後面に一体化した状態で設け、外側ケーシングを、移動ベースに一体化した状態で設けると好ましい。かかる構成によって、表示装置用配線を予め内側ケーシングの内側に収容した状態で、取付ベースに対して移動ベースを組み付けることができるようになり、取付ベースに対する移動ベースの組付作業を容易に行うことが可能になる。
【００１４】
本発明の遊技機用可動表示ユニットにおいては、表示装置用配線における内側ケーシングの内側に収容された部分に、前後方向に略垂直な面上で略円弧状に湾曲された湾曲部を設け、前記湾曲部における表示装置に近い側の端部を移動ベース側に保持し、前記湾曲部における表示装置から遠い側の端部を取付ベース側に保持し、取付ベースに対して移動ベースが移動する際に前記湾曲部の撓み具合が変化するようにすることも好ましい。かかる構成によって、移動ベースが移動する際における表示装置用配線の変形を規制しやすくすることが可能になる。このため、表示装置用配線の折れ曲がりや捩じれを小さく抑えることが可能になる。
【００１５】
本発明の遊技機用可動表示ユニットにおいて、移動ベースは、取付ベースに対して回動可能な状態で支持されたものとすると好ましい。かかる構成によって、遊技機筺体に対して表示装置を回動させる演出を実行することが可能になる。
【００１６】
本発明の遊技機用可動表示ユニットにおいて、移動ベースを取付ベースに対して回動可能なものとする場合には、外側ケーシングの外周面に外接するための複数のローラを、取付ベースに設け、当該複数のローラを、移動ベースを回動させる際の軸受として機能させることも好ましい。かかる構成によって、取付ベースに対して移動ベースを円滑に回動させるだけでなく、移動ベースの回転軸の振れを抑えることも可能になる。
【００１７】
本発明の遊技機用可動表示ユニットにおいては、取付ベースに係合部を設け、移動ベースが所定の基準位置（例えば、移動ベースに取り付けられた表示装置が水平となる位置）となったときに前記係合部が係合する被係合部を、外側ケーシングの外周面に形成すると好ましい。かかる構成によって、移動ベースに多少の位置ずれが生じた場合であっても、移動ベースを所定の基準位置に確実に復帰させることが可能になる。
【００１８】
本発明の遊技機用可動表示ユニットにおいては、取付ベースの前面における、移動ベースが所定の基準位置にあるときには移動ベースで覆われ、且つ、移動ベースが当該基準位置から所定変位量を超えて移動したときに移動ベースで覆われなくなる箇所に、当該箇所を発光させる取付ベース側発光装置を設けることも好ましい。かかる構成によって、表示装置の周辺における演出エリアを実質的に拡大することが可能になる。したがって、より多様な演出を行うことができるようになり、遊技機の演出効果をより高めることが可能になる。
【００１９】
本発明の遊技機用可動表示ユニットにおいては、
移動ベースを駆動するための移動ベース駆動手段と、
表示装置用配線に接続されて表示装置に電力又は制御信号を出力するための表示装置用電子基板と、
移動ベース側発光装置用配線に接続されて移動ベース側発光装置に電力又は制御信号を出力するための移動ベース側発光装置用電子基板と、
をさらに備え、
取付ベース、移動ベース、表示装置、表示装置用配線、移動ベース側発光装置、移動ベース側発光装置用配線、内側ケーシング、外側ケーシング、移動ベース駆動手段、表示装置用電子基板及び移動ベース側発光装置用電子基板が組み合わされてユニット化された
ものとすることも好ましい。
かかる構成によって、遊技機筺体に対して遊技機用可動表示ユニットを容易に取り付けることが可能になる。
【図面の簡単な説明】
【００２０】
【図１】回胴式遊技機の正面図である。
【図２】遊技機用可動表示ユニットの前方斜視図である。
【図３】遊技機用可動表示ユニットの後方斜視図である。
【図４】遊技機用可動表示ユニットを分解した状態を示した前方斜視図である。
【図５】遊技機用可動表示ユニットを分解した状態を示した後方斜視図である。
【図６】表示装置が基準位置にあるときの遊技機用可動表示ユニットを示した正面図である。
【図７】表示装置が基準位置から移動したときの遊技機用可動表示ユニットを示した正面図である。
【図８】後側カバー、表示装置用配線及び移動ベース側発光装置用配線を取り除いた状態の遊技機用可動表示ユニットを示した背面図である。
【図９】取付ベース、後側カバー、表示装置用配線及び移動ベース側発光装置用配線を取り除いた状態の遊技機用可動表示ユニットをｚ軸に垂直な平面で切断した状態を示した断面図である。
【図１０】取付ベース及び後側カバーを取り除いた状態の遊技機用可動表示ユニットを示した後方斜視図である。
【図１１】遊技機用可動表示ユニットにおける表示装置用配線の周辺を抜き出して示した、（ａ）前方斜視図及び（ｂ）正面図である。
【図１２】他の実施態様の遊技機用可動表示ユニットにおける取付ベースのガイドスリット周辺を拡大して示した背面図である。
【発明を実施するための形態】
【００２１】
本発明の遊技機用可動表示ユニットの好適な実施態様について、図面を用いてより具体的に説明する。以下においては、説明の便宜上、本発明の遊技機用可動表示ユニットを回胴式遊技機に組み込む場合について説明するが、本発明の遊技機用可動表示ユニットは、回胴式遊技機に組み込む場合に限定されない。本発明の遊技機用可動表示ユニットは、パチンコ遊技機等、回胴式遊技機以外の遊技機においても好適に採用することができる。
【００２２】
１．  回胴式遊技機
まず、回胴式遊技機の概要について説明する。図１は、回胴式遊技機１０の正面図である。以下においては、説明の便宜上、図中のｘ軸方向正側を「右」とし（図１の紙面に垂直な方向（ｙ軸方向）の奥側（ｙ軸方向負側）から見ると右側になる。）、ｘ軸方向負側を「左」とし（図１の紙面に垂直な方向（ｙ軸方向）の奥側（ｙ軸方向負側）から見ると左側になる。）、ｙ軸方向正側を「前」とし、ｙ軸方向負側を「後」とし、ｚ軸方向正側を「上」とし、ｚ軸方向負側を「下」として説明する。ｘ軸、ｙ軸及びｚ軸の向きは、図１以外の他の図面においても共通であり、「右」、「左」、「前」、「後」、「上」及び「下」という語句が意味するところは、特に断りのない限り、他の図面においても同様である。
【００２３】
回胴式遊技機１０は、図１に示すように、その筺体における前扉１０ａの前面側に、メダルを投入するためのメダル投入口１１と、メダルを払い出すためのメダル払出口１２と、その外周面に図柄が描かれた３本のリール１３，１４，１５と、演出画像を表示するためのメイン表示ユニット１６及びサブ表示ユニット１７と、照明演出を行うための発光ランプ（図示省略）と、音声演出を行うためのスピ−カー１８等を備えたものとなっており、操作部として、１遊技当たりの最大枚数（通常３枚）のメダルをベットするためのマックスベットボタン１９と、ベットするメダルを１枚ずつ増加するためのシングルベットボタン２０と、リール１３，１４，１５の回転を開始するためのスタートレバー２１と、リール１３，１４，１５の回転をそれぞれ停止するための３個のストップボタン２２，２３，２４と、演出を切り替えるためのチャンスボタン２５と、クレジットされたメダルを払い戻すための払戻しボタン２６等を有するものとなっている。
【００２４】
この回胴式遊技機１０は、メダルのクレジット枚数が所定枚数以上となった状態でスタートレバー２１が操作されると、役抽選が実行されるとともにリール１３，１４，１５が一斉に回転を開始し、ストップボタン２２，２３，２４がそれぞれ操作されると、操作されたストップボタン２２，２３，２４に対応するリール１３，１４，１５の回転が停止していき、全てのリール１３，１４，１５が停止したときにリール窓１０ａ１の有効ライン上に表示される図柄の組み合わせが役抽選で当選した役に対応したものとなっていた場合（入賞した場合）に、その役に応じた枚数のメダルが払い出され、メダルのクレジット枚数が上限値に達しているときには、筺体内に格納されたホッパーユニット（図示省略）から送出されたメダルがメダル払出口１２を通じて払い出されるようになっている。メダルのクレジット枚数は、メダルのクレジット枚数が上限値に達していないときに、メダル投入口１１にメダルが投入される、又は、入賞によってメダルが払い出されると増加するようになっている。
【００２５】
ところで、本実施態様の回胴式遊技機１０において、メイン表示ユニット１６及びサブ表示ユニット１７の画像表示部（表示装置）には、遊技の進行に応じた演出画像が表示されるようになっている。メイン表示ユニット１６及びサブ表示ユニット１７の表示装置には、通常、液晶ディスプレイや有機ＥＬディスプレイやプラズマディスプレイ等の薄型ディスプレイが用いられる。本実施態様の回胴式遊技機１０において、メイン表示ユニット１６及びサブ表示ユニット１７の表示装置には、いずれも液晶ディスプレイを採用している。
【００２６】
サブ表示ユニット１７は、通常時においては、遊技者から見えない位置にある一方、特定の演出を行うときには、遊技者から見える位置に移動するようになっている。本実施態様の回胴式遊技機１０において、サブ表示ユニット１７は、支持アーム２７によって昇降可能な状態で支持されており、通常時においては、図１における破線部Ａに示すように、前扉１０ａの上枠部１０ａ２の後面側に隠れた位置にある一方、特定の演出を行うときには、図１における実線部Ｂに示すように、メイン表示ユニット１６の画像表示部の前面側に重なる位置まで下降するようになっている。サブ表示ユニット１７を下降させる時期は、特に限定されない。サブ表示ユニット１７を下降させる時期としては、ボーナス遊技時やフリーズ演出時等が例示される。
【００２７】
以下においては、上記のサブ表示ユニット１７を例に挙げて、本発明の遊技機用可動表示ユニットを説明する。しかし、本発明の遊技機用可動表示ユニットは、上記のサブ表示ユニット１７で採用する場合に限定されず、他の表示ユニット（例えば、上記のメイン表示ユニット１６）で採用することもできる。
【００２８】
２．  遊技機用可動表示ユニット（サブ表示ユニット）
続いて、遊技機用可動表示ユニットについて説明する。図２は、遊技機用可動表示ユニット１００の前方斜視図である。図３は、遊技機用可動表示ユニット１００の後方斜視図である。図４は、遊技機用可動表示ユニット１００を分解した状態を示した前方斜視図である。図５は、遊技機用可動表示ユニット１００を分解した状態を示した後方斜視図である。図６は、表示装置１０１が基準位置にあるときの遊技機用可動表示ユニット１００を示した正面図である。図７は、表示装置１０１が基準位置から移動したときの遊技機用可動表示ユニット１００を示した正面図である。図８は、後側カバー１０４、表示装置用配線１０６及び移動ベース側発光装置用配線１０７を取り除いた状態の遊技機用可動表示ユニット１００を示した背面図である。図９は、取付ベース１０３、後側カバー１０４、表示装置用配線１０６及び移動ベース側発光装置用配線１０７を取り除いた状態の遊技機用可動表示ユニット１００をｚ軸に垂直な平面で切断した状態を示した断面図である。図１０は、取付ベース１０３及び後側カバー１０４を取り除いた状態の遊技機用可動表示ユニット１００を示した後方斜視図である。図１１は、遊技機用可動表示ユニット１００における表示装置用配線１０６の周辺を抜き出して示した、（ａ）前方斜視図及び（ｂ）正面図である。
【００２９】
本実施態様の遊技機用可動表示ユニット１００は、図４及び図５に示すように、表示装置１０１と、移動ベース１０２と、取付ベース１０３と、後側カバー１０４と、移動ベース側発光装置１０５（図４）と、表示装置用配線１０６と、移動ベース側発光装置用配線１０７と、内側ケーシング１０８（図５）と、外側ケーシング１０９と、移動ベース駆動手段１１０と、表示装置用電子基板（図示周略）と、移動ベース側発光装置用電子基板（図示省略）等の部品を備えたものとなっており、これらの部品が組み合わされてユニット化されたものとなっている。後述するように、表示装置１０１は、移動ベース１０２に対して固定され、移動ベース１０２は、取付ベース１０３に対して移動可能な状態で支持されている。このため、遊技機用可動表示ユニット１００では、図６及び図７に示すように、取付ベース１０３に対して移動ベース１０２が移動（回動）した際に、表示装置１０１も、移動ベース１０２の移動（回動）に伴って取付ベース１０３に対して移動（回動）するようになっている。
【００３０】
２．１  表示装置
表示装置１０１は、その前面側に設けられた画面１０１ａ（図４）に演出画像を表示するためのものとなっている。表示装置１０１は、移動ベース１０２に対して移動できない状態で移動ベース１０２の前面側に取り付けられる。表示装置１０１は、既に述べた通り、移動ベース１０２を移動（回動）させることによって、取付ベース１０３に対して移動（回動）させることができるようになっている。表示装置１０１を回動させる時期は、特に限定されない。遊技機用可動表示ユニット１００を出現させる時期（サブ表示ユニット１７を下降させる時期）としては、ボーナス遊技時やフリーズ演出時等が挙げられることについては、上述したが、この場合、遊技機用可動表示ユニット１００が出現している略全時間帯において表示装置１０１が移動（回動）するようにしてもよいし、遊技機用可動表示ユニット１００が出現している時間帯の一部の時間帯のみで表示装置１０１が移動（回動）するようにしてもよい。また、表示装置１０１に表示する演出画像や、遊技者の操作等に連動して表示装置１０１が移動（回動）するようにしてもよい。表示装置１０１は、通常、薄型ディスプレイが用いられるが、本実施態様の遊技機用可動表示ユニット１００においては、液晶ディスプレイを用いている。
【００３１】
２．２  移動ベース
移動ベース１０２は、図４及び図５に示すように、取付ベース１０３の前面側に支持される。移動ベース１０２は、既に述べた通り、取付ベース１０３に対して移動可能な状態で支持される。移動ベース１０２は、取付ベース１０３に対して移動できる状態で支持されるのであれば、その支持態様は特に限定されない。移動ベース１０２は、例えば、取付ベース１０３に対してスライド（平行移動）可能な状態で支持してもよい。本実施態様の遊技機用可動表示ユニット１００において、移動ベース１０２は、前後方向に平行な軸Ｌ（図４）を中心として回動可能な状態で取付ベース１０３に支持させている。具体的には、以下の支持構造を採用している。
【００３２】
すなわち、図５に示すように、移動ベース１０２の背面側に設けられた複数のガイド突起１０２ａを、取付ベース１０３に設けられた複数のガイドスリット１０３ａにそれぞれ挿入した後、取付ベース１０３の後側からそれぞれのガイド突起１０２ａの後端部に抜止部材１０２ｄ（図３）を取り付けることで、移動ベース１０２を取付ベース１０３に支持させている。本実施態様の遊技機用可動表示ユニット１００においては、軸Ｌを中心とした回転対称な位置に計４本のガイド突起１０２ａを設けており（図５では、一番下側に位置する１本のガイド突起１０２ａが外側ケーシング１０９で隠れた状態となっているため、３本のガイド突起１０２ａのみ現れている。）、それぞれのガイド突起１０２ａに対応する箇所に計４本のガイドスリット１０３ａを設けている。それぞれのガイドスリット１０３ａは、軸Ｌを中心とした円弧に沿って設けられている。このため、移動ベース１０２が取付ベース１０３に対して回動する際には、それぞれのガイド突起１０２ａがそれぞれのガイドスリット１０３ａによって案内されながら移動できるようになっている。抜止部材１０２ｄ（図３）は、ガイドスリット１０３ａを通過できない寸法形状を有している。このため、抜止部材１０２ｄをガイド突起１０２ａの後端部に取り付けた状態にあっては、ガイド突起１０２ａをガイドスリット１０３ａから前方へ引き抜くことができず、移動ベース１０２を取付ベース１０３から分離することができないようになっている。本実施態様の遊技機用可動表示ユニット１００では、上記の支持構造を採用することによって、軸Ｌを中心として移動ベース１０２を回動可能な状態としながらも、移動ベース１０２を取付ベース１０３から分離することができない状態で支持させている。
【００３３】
移動ベース１０２の形態は、表示装置１０１を固定でき、且つ、後述する移動ベース側発光装置１０５を取り付けることができるのであれば特に限定されない。本実施態様の遊技機用可動表示ユニット１００において、移動ベース１０２は、その中央部に開口部１０２ｂを有する板状に形成している。開口部１０２ｂは、後述する表示装置用配線１０６及び移動ベース側発光装置用配線１０７を、移動ベース１０２の前面側から後面側へ引き出すための部分となっている。移動ベース側発光装置１０５は、板状の移動ベース１０２の前面側における表示装置１０１に重ならない箇所に取り付けるようになっている。移動ベース１０２の側縁部には、後述する移動ベース駆動手段１１０の歯車１１０ｃ（図６）に係合するための歯車部１０２ｃ（図６）が設けられている。
【００３４】
２．３  取付ベース
取付ベース１０３は、回胴式遊技機１０（図１を参照。）の筺体に対して取り付けられる。本実施態様の遊技機用可動表示ユニット１００において、取付ベース１０３は、前扉１０ａ（図１を参照。）の上枠部１０ａ２に対し昇降可能な状態で取り付けている。取付ベース１０３の形態は、回胴式遊技機１０の筺体に対して直接的又は間接的に取り付けることができ、且つ、移動ベース１０２を移動（本実施態様の遊技機用可動表示ユニット１００では回動）可能な状態で支持できるものであれば特に限定されない。本実施態様の遊技機用可動表示ユニット１００においては、図４及び図５に示すように、取付ベース１０３は、その中央部に開口部１０３ｈを有する板状に形成している。開口部１０３ｈは、後述する表示装置用配線１０６及び移動ベース側発光装置用配線１０７を、取付ベース１０３の前面側から後面側へ引き出すための部分となっている。既に述べたように、取付ベース１０３には、複数本のガイドスリット１０３ａが軸Ｌを中心とした回転対称な位置に円弧状に設けられている。
【００３５】
また、取付ベース１０３の背面側には、図５に示すように、複数のローラ１０３ｂ，１０３ｃ，１０３ｄが設けられている。これらのローラ１０３ｂ，１０３ｃ，１０３ｄは、軸Ｌを中心とした略回転対称な位置に配され、外側ケーシング１０９の外周面に外接される。本実施態様の遊技機用可動表示ユニット１００においては、３個のローラ１０３ｂ，１０３ｃ，１０３ｄを設けている。ローラ１０３ｂは、外側ケーシング１０９における下側左方の外周面に外接し、ローラ１０３ｃは、外側ケーシング１０９における下側右方の外周面に外接し、ローラ１０３ｄは、外側ケーシング１０９における上側の外周面に外接するようになっている。
【００３６】
後述するように、外側ケーシング１０９は、移動ベース１０２の背面側中央部に一体化した状態で設けられ、移動ベース１０２が取付ベース１０３に対して回動する際の軸部材として機能するところ、上記のように、ローラ１０３ｂ，１０３ｃ，１０３ｄを外側ケーシング１０９に外接させることにおり、ローラ１０３ｂ，１０３ｃ，１０３ｄを、移動ベース１０２が回動する際の軸受（前記軸部材（外側ケーシング１０９）の軸受）として機能させることができるようになっている。このため、取付ベース１０３に対して移動ベース１０２を円滑に回動させるだけでなく、前記軸部材（外側ケーシング１０９）の振動を抑えることも可能となっている。
【００３７】
ところで、上述した複数のローラ１０３ｂ，１０３ｃ，１０３ｄのうち、一部のローラ１０３ｄは、内向き（軸Ｌに向かう向き）に付勢された付勢ローラとなっている。付勢ローラは、複数個設けてもよいが、本実施態様の遊技機用可動表示ユニット１００においては、上側のローラ１０３ｄのみを付勢ローラとしている。この付勢ローラ１０３ｄは、後述する係合部として機能するようになっている。
【００３８】
付勢ローラ１０３ｄを内向きに付勢する機構は、特に限定されない。本実施態様の遊技機用可動表示ユニット１００においては、軸体１０３ｅを中心として揺動可能な状態で支持された揺動部材１０３ｆの一側（軸体１０３ｅに対して一側）にローラ１０３ｄを設けている。揺動部材１０３ｆの他側（軸体１０３ｅに対して前記一側とは反対側）には、付勢部材１０３ｇ（本実施態様の遊技機用可動表示ユニット１００ではコイルバネ）の下端部が連結されており、揺動部材１０３ｆの他側が付勢部材１０３ｇによって上向きに引っ張られた状態となっている。このため、揺動部材１０３ｆの一側に設けられたローラ１０３ｄは、下向き（内向き）に付勢された状態となっている。
【００３９】
２．４  後側カバー
後側カバー１０４は、取付ベース１０３における開口部１０３ｈの後面側を覆うための部材となっている。本実施態様の遊技機用可動表示ユニット１００において、後側カバー１０４は、図４及び図５に示すように、略円形の背板部１０４ａと、背板部１０４ａの周縁から前方に起立して設けられた側壁部１０４ｂとで形成されている。側壁部１０４ｂの前端部は、取付ベース１０３の後面における開口部１０３ｈの周部に固定される。このため、後側カバー１０４は、取付ベース１０３に対して動かない状態となる。背板部１０４ａの中央部には開口部１０４ｃが設けられている。開口部１０４ｃは、図３に示すように、後述する表示装置用配線１０６及び移動ベース側発光装置用配線１０７を、後側カバー１０４の前面側から後面側へ引き出すための部分となっている。また、後側カバー１０４の背板部１０４ａ及び側壁部１０４ｂにおける左上部分には、開放部１０４ｄが設けられている。開放部１０４ｄは、上述した揺動部材１０３ｆ及び付勢部材１０３ｇが後側カバー１０４に干渉しないようにするための部分となっている。
【００４０】
２．５  移動ベース側発光装置
移動ベース側発光装置１０５は、図４に示すように、移動ベース１０２に取り付けられている。本実施態様の遊技機用可動表示ユニット１００において、移動ベース側発光装置１０５は、移動ベース１０２における表示装置１０１と前後方向に重ならない箇所、より具体的には移動ベース１０２における左縁部と右縁部とに複数個ずつ取り付けている。移動ベース１０２における移動ベース側発光装置１０５が設けられる箇所（移動ベース１０２の左縁部及び右縁部）の前面側には、図示省略のレンズカバーが取り付けられている。このように、移動ベース１０２に移動ベース側発光装置１０５を設けることにより、移動ベース１０２においても照明演出を行うことが可能になる。したがって、遊技機用可動表示ユニット１００において、より多様な演出を実行することが可能になる。移動ベース側発光装置１０５の種類は特に限定されない。移動ベース側発光装置１０５としては、発光ダイオード（ＬＥＤ）等の発光素子や、白熱電球等、発光体単体で構成されるものから、ドットマトリックスディスプレイや７セグメントディスプレイ等、複数の発光体からなる発光体群で構成されるもの等が挙げられる。また、液晶ディスプレイ等の表示装置であっても、その画面等が発光するのであれば、移動ベース側発光装置１０５として用いることができる。本実施態様の遊技機用可動表示ユニット１００においては、移動ベース側発光装置１０５として発光ダイオード（ＬＥＤ）を用いている。
【００４１】
２．６  表示装置用配線
表示装置用配線１０６は、表示装置１０１に制御信号を伝達するためのもの（以下、「表示装置用信号線」と呼ぶことがある。）となっており、複数本の信号線によって構成されている。表示装置用信号線１０６の先端部（図１１におけるコネクタ１０６ａ）は、表示装置１０１に接続され、表示装置用信号線１０６の基端部（図１１におけるコネクタ１０６ｂ）は、図示省略の表示装置用電子基板に接続される。本実施態様の遊技機用可動表示ユニット１００において、表示装置用電子基板は、後側カバー１０４の後面側に動かない状態で取り付けられるようになっている。このため、表示装置用信号線１０６は、移動ベース１０２の前面側から後側カバー１０４の後方へ引き出されるようになる。本実施態様の遊技機用可動表示ユニット１００において、表示装置用信号線１０６は、後述する内側ケーシング１０８の内側（図９に示す網掛けハッチング部βを参照。以下、内側ケーシング１０８の内側の空間のことを「空間β」と表記することがある。）を通って後方へ引き出されるようになっている。
【００４２】
表示装置用配線１０６は、上記の機能を発揮できるのであれば、その種類は限定されず、各種のケーブル等を採用することができる。本実施態様の遊技機用可動表示ユニット１００においては、表示装置用配線１０６を、薄い帯状を為すフレキシブルプリント基板（ＦＰＣ）としている。これにより、多数本の信号線からなる表示装置用配線１０６をコンパクトに集約することができる。
【００４３】
内側ケーシング１０８の内側で表示装置用信号線１０６をどのように配するかは、表示装置用信号線１０６の捩じれ具合又は折れ曲がり具合や、内側ケーシング１０８の内側に配される表示装置用信号線１０６以外の他の部材の配置等を考慮して適宜決定される。具体的には、表示装置用信号線１０６の捩じれ具合や折れ曲がり具合が表示装置用信号線１０６に断線等が生じない程度に収まり、且つ、表示装置用信号線１０６が前記他の部材に絡まないように、表示装置用信号線１０６を配すると好ましい。既に述べたように、表示装置用信号線１０６の基端側は、取付ベース１０３に対して移動しない上記の表示装置用電子基板に接続される一方、表示装置用信号線１０６の先端側は、取付ベース１０３に対して回動する表示装置１０１に接続されるため、表示装置用信号線１０６の基端側と先端側は、表示装置１０１の回動に伴って相対的に移動する。このため、表示装置用信号線１０６は、その基端側と先端側とに上記の相対的な移動が生じても、表示装置用信号線１０６に無理な折れ曲がりや捩じれが生じたり、前記他の部材に絡んだりしないように、表示装置用信号線１０６を配すると好ましい。表示装置用信号線１０６として上記のフレキシブルプリント基板を採用する場合には、捩じれや折れ曲がりに対する許容度があまり高くないため、特に注意を要する。本実施態様の遊技機用可動表示ユニット１００においては、内側ケーシング１０８の内側の表示装置用信号線１０６を以下のように構成することで、表示装置用信号線１０６に無理な折れ曲がりや捩じれが生じたり、表示装置用信号線１０６が前記他の部材に絡んだりしないようにしている。
【００４４】
すなわち、表示装置用信号線１０６における内側ケーシング１０８の内側に収容される部分に、図１１に示すように、前後方向（ｙ軸方向）に略垂直な面（ｘ−ｚ面）上で略円弧状に湾曲された湾曲部１０６ｃを設けている。湾曲部１０６ｃの先端部（コネクタ１０６ａに近い側の端部）には、第一保持部材１１１を取り付けており、湾曲部１０６ｃの基端部（コネクタ１０６ｂに近い側の端部）には、第二保持部材１１２を取り付けている。第一保持部材１１１は、移動ベース１０２（図４及び図５を参照。）側の部材（移動ベース１０２、又は、移動ベース１０２に対して移動しない状態で移動ベース１０２に取り付けられた部材）に対して移動しない状態で固定される。一方、第二保持部材１１２は、取付ベース１０３（図４及び図５を参照。）側の部材（取付ベース１０３、又は、取付ベース１０３に対して移動しない状態で取付ベース１０３に取り付けられた部材）に対して移動しない状態で固定される。湾曲部１０６ｃの曲率中心は、移動ベース１０２の回動軸Ｌ（図６及び図７を参照。）に略重なるようにしている。また、表示装置用信号線１０６における第一保持部材１１１に保持された部分よりも先端側は、ある程度撓んだ余裕のある状態としている。
【００４５】
内側ケーシング１０８の内側に収容される表示装置用信号線１０６を上記のように構成することによって、取付ベース１０３に対して表示装置１０１が回動した場合であっても、主に湾曲部１０６ｃの撓み具合が変化するだけで、当該回動に起因した表示装置用信号線１０６の先端部と基端部との変位を吸収することが可能になる。このため、表示装置用信号線１０６に意図しない折れ曲がりや捩じれが生じないようにすることが可能になる。また、表示装置１０１が回動する際における表示装置用信号線の変形を規制することができるので、内側ケーシング１０８の内側における表示装置用信号線１０６が前記他の部材に絡まないようにすることも容易となっている。表示装置用信号線１０６における他の箇所（第一保持部材１１１又は第二保持部材１１２で保持されていない箇所）は、上記の効果を阻害しない範囲で、表示装置１０１や移動ベース１０２や取付ベース１０３や内側ケーシング１０８等の部材に保持させてもよい。
【００４６】
ところで、本実施態様の遊技機用可動表示ユニット１００において、表示装置１０１に電力を供給するための配線（図示省略。以下、当該配線を「表示装置用電力線」と呼ぶことがある。）は、表示装置用信号線１０６とは独立して別個に設けている。これは、表示装置用電力線は、表示装置用信号線とは、要求される仕様が異なることに起因している。すなわち、表示装置用信号線１０６に流される電流は微小であるため、表示装置用信号線は、細く形成でき、且つ、それ程高い絶縁性も要求されないため、上記のフレキシブルプリント基板に集約することが可能であるのに対し、表示装置１０１の消費電力はある程度大きく、表示装置用電力線はある程度太く形成する必要があり、且つ、ある程度高い絶縁性が要求されるため、上記のフレキシブルプリント基板に集約するのに適していないからである。本実施態様の遊技機用可動表示ユニット１００において、表示装置用電力線は、表示装置用信号線１０６と干渉しない状態で、内側ケーシング１０８の内側を通って後側カバー１０４の開口部１０４ｃから後方へ引き出されるようになっている。表示装置用電力線の先端側は、表示装置１０１の電力端子に接続され、表示装置用電力線の後端側は、上記の表示装置用電子基板又は表示装置用電源（図示省略）に接続される。
【００４７】
以上では、表示装置用信号線１０６と表示装置用電力線とを独立して別個に設ける場合について説明したが、表示装置１０１が小型で消費電力が小さく、表示装置用電力線を表示装置用信号線１０６と同等の仕様とできる場合等には、表示装置用信号線１０６と表示装置用電力線とを表示装置用配線１０６として集約することもできる。
【００４８】
２．７  移動ベース側発光装置用配線
移動ベース側発光装置用配線１０７は、移動ベース１０２に取り付けられたそれぞれの移動ベース側発光装置１０５に電力を供給するためのもの（以下において、「移動ベース側発光装置用電力線」と呼ぶことがある。）となっている。移動ベース側発光装置用電力線１０７の先端部は、移動ベース側発光装置１０５に接続され、移動ベース側発光装置用電力線１０７の基端部は、図示省略の移動ベース側発光装置用電子基板に接続される。本実施態様の遊技機用可動表示ユニット１００において、移動ベース側発光装置用電子基板は、後側カバー１０４の後面側に動かない状態で取り付けられるようになっている。このため、移動ベース側発光装置用電力線１０７は、移動ベース１０２の前面側から後側カバー１０４の後方へ引き出されるようになる。本実施態様の遊技機用可動表示ユニット１００において、移動ベース側発光装置用電力線１０７は、後述する内側ケーシング１０８の外面と外側ケーシング１０９の内面との隙間（図９に示す網掛けハッチング部γを参照。以下、当該隙間を「空間γ」と表記することがある。）を通って後方へ引き出されるようになっており、内側ケーシング１０８の内側（図９に示す網掛けハッチング部βを参照。）を通って後方へ引き出される表示装置用信号線１０６と絡みにくい状態となっている。換言すると、移動ベース側発光装置用電力線１０７が通る空間γを、内側ケーシング１０８によって、表示装置用信号線１０６が通る空間βから仕切ることで、移動ベース側発光装置用電力線１０７と表示装置用信号線１０６との絡みを防止している。
【００４９】
また、本実施態様の遊技機用可動表示ユニット１００では、上述したように、移動ベース側発光装置１０５は、移動ベース１０２の左縁部と右縁部とに分けて設けられるため、移動ベース側発光装置用電力線１０７の先端側（移動ベース側発光装置１０５に接続される端部側）は、図４に示すように、移動ベース１０２の左縁部の移動ベース側発光装置１０５に電力を供給するための第一配線１０７ａと、移動ベース１０２の右縁部の移動ベース側発光装置１０５に電力を供給するための第二配線１０７ｂとに分岐した状態に設けられている。移動ベース側発光装置１０５は、移動ベース１０２の左縁部と右縁部とに複数個ずつ設けられるため、第一配線１０７ａと第二配線１０７ｂは、それぞれ複数本の電力線によって構成されている。これに対し、移動ベース側発光装置用配線１０７の基端側（移動ベース側発光装置用電子基板に接続される端部側）は、図３に示すように、第一配線１０７ａと第二配線１０７ｂとが重ねられた状態（１本にまとめられた状態）で、後側カバー１０４の開口部１０４ｃから後方へ引き出されるようになっている。第一配線１０７ａと第二配線１０７ｂとにおける内側ケーシング１０８の後側となる部分には、撓み部１０７ｃ（図１０を参照。）を設けており、移動ベース１０２が取付ベース１０３に対して回動する際に移動ベース側発光装置用電力線１０７が受ける変位を撓み部１０７ｃで吸収するようにしている。
【００５０】
ところで、本実施態様の遊技機用可動表示ユニット１００において、移動ベース側発光装置用電力線１０７における第一配線１０７ａと第二配線１０７ｂは、図１０に示すように、内側ケーシング１０８の外面における対向する箇所を這わせており（第一配線１０７ａは内側ケーシング１０８の外面左側を這わせ、第二配線１０７ｂは内側ケーシング１０８の外面右側を這わせており）、内側ケーシング１０８の後側で重ねる（１本にまとめる）ようにしているが、第一配線１０７ａと第二配線１０７ｂは、内側ケーシング１０８の外面と外側ケーシング１０９の内面との隙間γ（図９を参照。）で重ねた状態（１本にまとめた状態）としてから後方へ引き出すようにしてもよい。また、本実施態様の遊技機用可動表示ユニット１００では、第一配線１０７ａと第二配線１０７ｂとにおける内側ケーシング１０８の後側となる部分に撓み部１０７ｃを設けていたが、この撓み部１０７ｃは、他の箇所（例えば、第一配線１０７ａと第二配線１０７ｂにおける隙間γに位置する箇所）に設けてもよい。さらに、移動ベース側発光装置用電力線１０７は、移動ベース側発光装置用電力線１０７における上記の変位の吸収を阻害しない範囲で、移動ベース１０２や後側カバー１０４や内側ケーシング１０８や外側ケーシング１０９等の部材に保持させてもよい。本実施態様の遊技機用可動表示ユニット１００において、移動ベース側発光装置用電力線１０７は、移動ベース１０２と外側ケーシング１０９と後側カバー１０４とに保持させている（図３における保持部１０４ｅ及び図４における保持部１０２ｅ，１０９ａを参照。）。
【００５１】
移動ベース側発光装置用配線１０７は、各種のケーブル等を採用することができるが、本実施態様の遊技機用可動表示ユニット１００では、移動ベース側発光装置用配線１０７を、複数本の電力線を帯状に束ねたハーネスケーブルとしている。それぞれの移動ベース側発光装置１０５は、上記のハーネスケーブルを構成する複数本の電力線のうち、それに対応した電力線に電流を流すことによって点灯するようになっている。すなわち、本実施態様の遊技機用可動表示ユニット１００では、全部の移動ベース側発光装置１０５を一斉に点灯（点滅を含む。）又は消灯させるだけでなく、一部の移動ベース側発光装置１０５のみを点灯又は消灯させることが可能となっている。このため、移動ベース側発光装置用電力線１０７は、移動ベース側発光装置１０５に制御信号を伝達する信号線（移動ベース側発光装置用信号線）としての機能をも有するものとなっている。
【００５２】
２．８  内側ケーシング
内側ケーシング１０８は、図９に示すように、移動ベース１０２の後面側に設けられる。本実施態様の遊技機用可動表示ユニット１００においては、図５に示すように、表示装置１０１の後面に一体化した状態で内側ケーシング１０８を設けており、表示装置１０１を移動ベース１０２の前面側に組み付ける際に移動ベース１０２における開口部１０２ｂ（図４を参照。）に内側ケーシング１０８を挿入することで、内側ケーシング１０８が移動ベース１０２の後面側に位置する（図９を参照。）ようにしている。本実施態様の遊技機用可動表示ユニット１００では、内側ケーシング１０８の本体部１０８ａにおける前端部から外方に突出して設けた上下一対の取付片部１０８ｂを表示装置１０１の上縁部と下縁部に固定することで、内側ケーシング１０８を表示装置１０１の後面側中央部に一体化させている。このように、内側ケーシング１０８を表示装置１０１に一体化させておくことで、表示装置用信号線１０６を予め内側ケーシング１０８の内側に収容した状態で、取付ベース１０３に対して移動ベース１０２を組み付けることができるようになる。このため、取付ベース１０３に対する移動ベース１０２の組付作業をより容易に行うことが可能となっている。
【００５３】
内側ケーシング１０８の本体部１０８ａの形態は、表示装置用信号線１０６を這わせる空間と移動ベース側発光装置用電力線１０７を這わせる空間とを仕切ることができるのであれば、特に限定されない。本実施態様の遊技機用可動表示ユニット１００において、内側ケーシング１０８の本体部１０８ａは、背板部１０８ａ１と、背板部１０８ａ１の周縁部から前方に起立する略円筒状の側壁部１０８ａ２とで構成されている。内側ケーシング１０８の背板部１０８ａ１には、開口部１０８ｃが設けられている。この開口部１０８ｃは、表示装置用信号線１０６を後方へ引き出すための部分となっている。表示装置用信号線１０６が他の部材に干渉等しない範囲であれば、内側ケーシング１０８の背板部１０８ａ１や側壁部１０８ａ２には、開口部１０８ｃ以外にも開口部を設けたり、凹凸等を設けたりすることもできる。
【００５４】
２．９  外側ケーシング
外側ケーシング１０９は、図９に示すように、移動ベース１０２の後方に配され、内側ケーシング１０８の外周部を囲った状態に設けられる。本実施態様の遊技機用可動表示ユニット１００において、外側ケーシング１０９は、図４及び図５に示すように、移動ベース１０２の後面に一体化した状態で設けている。具体的には、移動ベース１０２における開口部１０２ｂの周部から後方に突出した状態となるように、外側ケーシング１０９を移動ベース１０２に固定している。また、移動ベース側発光装置用電力線１０７は、上述したように、保持部１０９ａ（図４）によって、外側ケーシング１０９の内面に保持された状態となっている。このように、外側ケーシング１０９を移動ベース１０２に一体化させるとともに、移動ベース側発光装置用電力線１０７を外側ケーシング１０９の内面に保持させておくことで、移動ベース側発光装置用電力線１０７を予め外側ケーシング１０９の内側に保持させた状態で、取付ベース１０３に対して移動ベース１０２を組み付けることができるようになる。このため、取付ベース１０３に対する移動ベース１０２の組付作業をより容易に行うことが可能となっている。
【００５５】
外側ケーシング１０９の形態は、外側ケーシング１０９の内面と内側ケーシング１０８の外面との間に隙間（移動ベース側発光装置用電力線１０７を這わすことのできる空間）を確保した状態で内側ケーシング１０８の外周部を囲うことができるのであれば、特に限定されない。本実施態様の遊技機用可動表示ユニット１００において、外側ケーシング１０９は、図５に示すように、略円形を為す背板部１０９ｂと、背板部１０９の周部から前方に起立した略円筒状の側壁部１０９ｃとで構成されている。外側ケーシング１０９の背板部１０９ｂには、開口部１０９ｄが設けられている。この開口部１０９ｄは、表示装置用信号線１０６及び移動ベース側発光装置用電力線１０７を後方へ引き出すための部分となっている。移動ベース側発光装置用電力線１０７が他の部材に干渉等しない範囲であれば、外側ケーシング１０９の背板部１０９ｂや側壁部１０９ｃには、開口部１０９ｄ以外の開口部を設けたり、凹凸等を設けたりすることもできる。
【００５６】
また、本実施態様の遊技機用可動表示ユニット１００では、外側ケーシング１０９の外面に、被係合部１０９ｅが設けられている。この被係合部１０９ｅは、移動ベース１０２が所定の基準位置となったとき（本実施態様の遊技機用可動表示ユニット１００では、移動ベース１０２が図６に示す水平位置となったとき）に付勢ローラ１０３ｄ（係合部）が係合するための部分となっている。被係合部１０９ｅは、付勢ローラ１０３ｄ（係合部）に係合可能であれば、その形態を特に限定されないが、本実施態様の遊技機用可動表示ユニット１００では、円筒面状に凹んだ凹溝（凹部）としている。当該凹溝の内面（円筒面）の曲率半径は、円柱状を為す付勢ローラ１０３ｄ（係合部）の外面（円筒面）の曲率半径よりも僅かに大きく設定している。加えて、付勢ローラ１０３ｄは、既に述べた通り、付勢部材１０３ｇによって内向き（軸Ｌに向かう向き）に付勢されている。
【００５７】
このため、図７に示すように基準位置から回動して変位した状態にある移動ベース１０２を、図６に示す基準位置の近く（被係合部１０９ｅが付勢ローラ１０３ｄ（係合部）に重なる位置）まで回動させた際に、付勢ローラ１０３ｄ（係合部）の付勢力によって、付勢ローラ１０３ｄ（係合部）が被係合部１０９ｅの最深部に係合された状態となるまで外側ケーシング１０９を強制的に回動させることで、移動ベース１０２を基準位置に確実に復帰させることが可能となっている。本実施態様の遊技機用可動表示ユニット１００では、被係合部１０９ｅを凹部とし、係合部１０３ｄ（付勢ローラ）を凸部としたが、被係合部１０９ｅと係合部１０３ｄの凹凸関係は、逆転させてもよい。また、本実施態様の遊技機用可動表示ユニット１００では、係合部１０３ｄ（付勢ローラ）を被係合部１０９ｅに向かって付勢したが、被係合部１０９ｅを係合部１０３ｄに向かって付勢してもよい。さらに、本実施態様の遊技機用可動表示ユニット１００では、係合部１０３ｄを内向きに付勢したが、被係合部１０９ｅを外向きに付勢するようにしても、同様の作用効果を得ることができる。さらに、本実施態様の遊技機用可動表示ユニット１００では、移動ベース１０２が水平位置となったとき（表示装置１０１が水平位置となったとき）を基準位置としたが、水平位置以外を基準位置とすることもできる。
【００５８】
２．１０  移動ベース駆動手段
移動ベース駆動手段１１０は、移動ベース１０２を駆動するためのものとなっている。本実施態様の遊技機用可動表示ユニット１００においては、移動ベース駆動手段１１０は、図６及び図７に示すように、軸Ｌを中心として移動ベース１０２を回転駆動するためのものとなっている。移動ベース駆動手段１１０は、移動ベース１０２に所望の動作をさせることができるものであれば、その具体的な構成を特に限定されない。本実施態様の遊技機用可動表示ユニット１００において、移動ベース駆動手段１１０は、モータ１１０ａ（図５）と、モータ１１０ａの出力軸の回転に伴って回転する歯車１１０ｂ，１１０ｃ（図４）とで構成されている。モータ１１０ａ及び歯車１１０ｂ，１１０ｃは、図４及び図５に示すように、取付ベース１０３に取り付けている。歯車１１０ｂ，１１０ｃのうち、歯車１１０ｃは、図６における拡大部に示すように、移動ベース１０２の歯車部１０２ｂに外接するように配される。このため、モータ１１０ａが駆動されて歯車１１０ｃが回転すると、歯車部１０２ｃが歯車１１０ｃの回転力を受けることによって、移動ベース１０２が回動するようになっている。モータ１１０ａには、正逆回転可能なものを使用しており、移動ベース１０２を図６の紙面に向かって時計方向と反時計方向とのいずれにも回動させることができるようにしている。このように、移動ベース駆動手段１１０によって移動ベース１０２を回動させることによって、表示装置１０１を回動させることが可能になり、より多様な演出を行うことができるようになっている。
【００５９】
２．１１  その他
ところで、取付ベース１０３の前面における、移動ベース１０２が所定の基準位置にあるときには移動ベース１０２で覆われ、且つ、移動ベース１０２が当該基準位置から所定変位量を超えて移動したときに移動ベース１０２で覆われなくなる箇所（図７における網掛けハッチング部αを参照。以下、当該箇所を「領域α」と表記する。）には、領域αを発光させるための取付ベース側発光装置（図示省略）を設けることもできる。これにより、表示装置１０１の周辺における演出エリアを実質的に拡大して、より多様な演出を行うことができるようになり、演出効果をより高めることが可能になる。取付ベース１０３における取付ベース側発光装置が設けられる箇所の前面側には、レンズカバー（図示省略）を設けることもできる。取付ベース側発光装置の種類は特に限定されない。取付ベース側発光装置としては、発光ダイオード（ＬＥＤ）等の発光素子や、白熱電球等、発光体単体で構成されるものから、ドットマトリックスディスプレイや７セグメントディスプレイ等、複数の発光体からなる発光体群で構成されるもの等が挙げられる。また、液晶ディスプレイ等の表示装置であっても、その画面等が発光するのであれば、取付ベース側発光装置として用いることができる。
【００６０】
取付ベース側発光装置を設ける場合、１箇所の領域αにつき取付ベース側発光装置を１つのみ設けてもよいが、複数個設けると好ましい。これにより、よりインパクトのある演出を行うことが可能になる。また、複数個の取付ベース側発光装置を設けるということは、その分、取付ベース側発光装置に電力又は制御信号を伝達する配線（取付ベース側発光装置用配線）の本数も増えることになり、取付ベース側発光装置用配線が表示装置用配線１０６（図５）や移動ベース側発光装置用配線１０７（図５）等に干渉等するリスクが高まるところ、本発明の遊技機用可動表示ユニット１００では、上記のように、内側ケーシング１０８や外側ケーシング１０９によって表示装置用配線１０６や移動ベース側発光装置用配線１０７が他の部材に干渉しにくい構成となっているため、本発明の構成を採用する意義をさらに高めることも可能になる。
【００６１】
また、上述した遊技機用可動表示ユニット１００（図２〜１０に示した遊技機用可動表示ユニット１００）では、図８に示すように、取付ベース１０３に付勢ローラ１０３ｄ（係合部）を設け、移動ベース１０２が所定の基準位置の近くまで回動してきたときに、外側ケーシング１０９の外周面に形成された被係合部１０９ｅに付勢ローラ１０３ｄ（係合部）が係合することによって、移動ベース１０２を基準位置に確実に復帰させることができるようにしていた。しかし、移動ベース１０２を基準位置に復帰させる手段（基準位置復帰手段）は、上記の構造のものに限定されない。例えば、図１２に示す構造を採用することもできる。図１２は、他の実施態様の遊技機用可動表示ユニット１００における取付ベース１０３のガイドスリット１０３ａの周辺を拡大して示した背面図である。図１２は、図８における破線部Ｃに相当する部分を拡大したものとなっている。図１２（ａ）は、後述するスライド部材１１３が退避位置にあるときを示しており、図１２（ｂ）は、スライド部材１１３が突出位置にあるときを示している。
【００６２】
図１２に示す他の実施態様の遊技機用可動表示ユニット１００では、その取付ベース１０３の背面側に、スライド部材１１３と、スライド部材駆動手段１１４と、スライド部材検知手段１１５とが設けられている。スライド部材１１３は、図１２（ａ）に示す退避位置から図１２（ｂ）に示す突出位置までスライドさせることが可能な状態で、取付ベース１０３の背面側に取り付けられている。スライド部材１１３には、凹部１１３ａと、スライド部材ガイド用スリット１１３ｂと、被検知片１１３ｃとが設けられている。凹部１１３ａは、スライド部材１１３が突出位置にあるとき（図１２（ｂ）に示す状態のとき）に、ガイド突起１０２ａの外周面に係合するための部分となっている。スライド部材ガイド用スリット１１３ｂは、スライド部材１１３をスライド方向（図１２の例ではｚ軸方向）に案内するための部分となっている。図１２の例では、２本のスライド部材ガイド用スリット１１３ｂを平行に設けている。それぞれのスライド部材ガイド用スリット１１３ｂには、取付ベース１０３の背面側に設けられたスライド部材ガイド用突起１０２ｆが挿入されている。これにより、スライド部材１１３は、そのスライド方向に安定して案内されるようになっている。被検知片１１３ｃは、スライド部材１１３が所定の位置（図１２の例では退避位置）となったときに、スライド部材検知手段１１５に検知させるための部分となっている。スライド部材駆動手段１１４は、スライド部材１１３をスライドさせるためのものとなっている。図１２の例においては、スライド部材駆動手段１１４としてモータを用いている。当該モータの出力軸には、図示省略のギア等の動力伝達手段が設けられており、当該動力伝達手段によってスライド部材１１３を突出方向（図１２（ａ）における矢印Ｄの向き）にスライドさせるようになっている。スライド部材検知手段１１５は、スライド部材１１３の位置を検知するためのものとなっている。スライド部材検知手段１１５には、通常、光電センサが用いられる。
【００６３】
図１２に示す遊技機用可動表示ユニット１００は、上記のような構造を有しており、移動ベース１０２が所定の基準位置の近くまで回動してきたときに、スライド部材１１３を突出位置にスライドさせ、その凹部１１３ａをガイド突起１０２ａに係合させることによって、移動ベース１０２を基準位置に確実に復帰させるものとなっている。すなわち、図１２に示す遊技機用可動表示ユニット１００では、その凹部１１３ａ、ガイド突起１０２ａ及びスライド部材駆動手段１１４が、それぞれ、図８に示す遊技機用可動表示ユニット１００における係合部１０３ｄ、被係合部１０９ｅ及び付勢部材１０３ｇに類する機能を発揮するようになっている。スライド部材１１３は、ガイドスリット１０３ａよりも内側（取付ベース１０３の中心寄り）から外向きにスライドさせるようにしてもよいが、ガイドスリット１０３ａの内側には、後側カバー１０４（図５）等の部材が設けられるため、スペースを確保しにくい。このため、図１２の例において、スライド部材１１３は、ガイドスリット１０３ａの外側から内向きにスライドさせるようにしている。
【符号の説明】
【００６４】
１０      回胴式遊技機
１０ａ    前扉
１０ａ１  リール窓
１０ａ２  上枠部
１１      メダル投入口
１２      メダル払出口
１３      リール（左リール）
１４      リール（中リール）
１５      リール（右リール）
１６      メイン表示ユニット
１７      遊技機用可動表示ユニット（サブ表示ユニット）
１８      スピーカー
１９      マックスベットボタン
２０      シングルベットボタン
２１      スタートレバー
２２      ストップボタン（左リール用ストップボタン）
２３      ストップボタン（中リール用ストップボタン）
２４      ストップボタン（右リール用ストップボタン）
２５      チャンスボタン
２６      払戻しボタン
２７      支持アーム
１００      遊技機用可動表示ユニット
１０１      表示装置
１０１ａ    画面
１０２      移動ベース
１０２ａ    ガイド突起
１０２ｂ    開口部
１０２ｃ    歯車部
１０２ｄ    抜止部材
１０２ｅ    保持部
１０２ｆ    スライド部材ガイド用突起
１０３      取付ベース
１０３ａ    ガイドスリット
１０３ｂ    ローラ
１０３ｃ    ローラ
１０３ｄ    ローラ（付勢ローラ且つ係合部）
１０３ｅ    軸体
１０３ｆ    揺動部材
１０３ｇ    付勢部材
１０３ｈ    開口部
１０４      後側カバー
１０４ａ    背板部
１０４ｂ    側壁部
１０４ｃ    開口部
１０４ｄ    開放部
１０４ｅ    保持部
１０５      移動ベース側発光装置
１０６      表示装置用信号線（表示装置用配線）
１０６ａ    コネクタ
１０６ｂ    コネクタ
１０６ｃ    湾曲部
１０７      移動ベース側発光装置用電力線（移動ベース側発光装置用配線）
１０７ａ    第一配線
１０７ｂ    第二配線
１０７ｃ    撓み部
１０８      内側ケーシング
１０８ａ    本体部
１０８ａ１  背板部
１０８ａ２  側壁部
１０８ｂ    取付片部
１０８ｃ    開口部
１０９      外側ケーシング
１０９ａ    保持部
１０９ｂ    背板部
１０９ｃ    側壁部
１０９ｄ    開口部
１０９ｅ    被係合部
１１０      移動ベース駆動手段
１１０ａ    モータ
１１０ｂ    歯車
１１０ｃ    歯車
１１１      第一保持部材
１１２      第二保持部材
１１３    スライド部材
１１３ａ  凹部
１１３ｂ  スライド部材ガイド用スリット
１１３ｃ  被検知片
１１４    スライド部材駆動手段
１１５    スライド部材検知手段
【要約】
【課題】
表示装置用配線と移動ベース側発光装置用配線とが絡まないようにする。
【解決手段】
遊技機筺体に取り付けられる取付ベース１０３と、取付ベース１０３に移動可能な状態で支持された移動ベース１０２と、移動ベース１０２に取り付けられた表示装置１０１と、表示装置用配線１０６とを備えた遊技機用可動表示ユニット１００を、移動ベース１０２に取り付けられた移動ベース側発光装置１０５と、移動ベース側発光装置用配線１０７と、移動ベース１０２の後面側に設けられた内側ケーシング１０８と、内側ケーシング１０８を囲った状態に設けられた外側ケーシング１０９とをさらに備えたものとし、表示装置用配線１０６及び移動ベース側発光装置用配線１０７のうち、一方を内側ケーシング１０８の内側を通って後方へ引き出し、他方を内側ケーシング１０８の外面と外側ケーシング１０９の内面との隙間を通って後方へ引き出した。
【選択図】  図５【図１】
0005890571.tif 000002
【図２】
0005890571.tif 000003
【図３】
0005890571.tif 000004
【図４】
0005890571.tif 000005
【図５】
0005890571.tif 000006
【図６】
0005890571.tif 000007
【図７】
0005890571.tif 000008
【図８】
0005890571.tif 000009
【図９】
0005890571.tif 000010
【図１０】
0005890571.tif 000011
【図１１】
0005890571.tif 000012
【図１２】
0005890571.tif 000013